(57)【要約】【課題】長尺用紙の印刷を行う際に手差し印刷のように人手を使って用紙を支える必要のない給紙部、ならびに、長尺用紙の印刷を行わない時には取り外しをすることなく省スペースを実現可能な排紙部を備える給排紙装置を提供する。【解決手段】印刷用紙を画像形成装置の給紙口に給紙させる給紙装置と、画形成装置の排紙口より排紙される印刷用紙を積置く排紙トレイを備える排紙装置とを含む給排紙装置であって、紙を収納可能な箱状の収納部と、ロール形状に収納された印刷用紙と接することにより印刷用紙のロール形状を保持させる立上部と、収納部の底面に印刷用紙を給紙口へ搬送するための搬送部とを備える給紙装置と、画像形成装置に接着させる接着部を備え、排紙トレイは、画像形成装置と接着部の接着を離したときに、排紙トレイを展開して上面から山折りに曲げることで画像形成装置の筐体に沿うように折り畳まれる排紙装置であることを特徴とする。【選択図】図１
0003169690.tif 000002
【実用新案登録請求の範囲】
【請求項１】
画像形成装置の給紙口に受け渡す印刷用紙を収納するための補助給紙装置と、前記画像形成装置の排紙口より排紙される前記印刷用紙を積載する補助排紙トレイを備える補助排紙装置とを含む給排紙装置であって、
前記補助給紙装置において、
前記印刷用紙を収納可能な箱状の収納部と、
ロール形状に収納される前記印刷用紙のロール形状を保持させるべく、前記収納部の内部において底面から立設した形状で収納部の底面に設けられる立上部と、
前記収納部に収納された前記印刷用紙を前記給紙口へ搬送させるべく、前記収納部の底面の一部が開口された搬送口と、
を備え、
前記立上部を、前記搬送口と前記印刷用紙が収納される部分との間に配置し、
前記排紙装置において、
前記排紙装置の前記補助排紙トレイに、前記画像形成装置に前記補助排紙トレイを接着させるための接着部を備え、前記補助排紙トレイに折り畳み可能にウイング部を設け、
前記補助排紙トレイは、前記画像形成装置と前記接着部の接着を離した場合に、前記補助排紙トレイと前記ウイング部とを展開して、上面から山折りに曲げることによって、前記補助排紙装置を前記画像形成装置の筐体の外装に沿って収納されることを特徴とする補助給排紙装置。
【請求項２】
画像形成装置の給紙口に受け渡す印刷用紙を収納するため補助給紙装置において、
前記印刷用紙を収納可能な箱状の収納部と、
ロール形状に収納された前記印刷用紙をロール形状を保持させるべく、前記収納部の内部において底面から立設した形状で収納部の底面に設けられる立上部と、
前記収納部に収納された前記印刷用紙を給紙口へ搬送させるべく前記収納部の底面の一部が開口された搬送口と、
を備え、
前記立上部を、前記搬送口と前記印刷用紙が収納される部分との間に配置することを特徴とする補助給紙装置。
【請求項３】
画像形成装置の排紙口より排紙される印刷用紙を積載する補助排紙トレイを備える補助排紙装置であって、
前記排紙装置の前記補助排紙トレイに、前記画像形成装置に前記補助排紙トレイを接着させる接着部を備え、前記補助排紙トレイに折り畳み可能にウイング部を設け、
前記補助排紙トレイと前記ウイング部とを展開して、上面から山折りに曲げることによって、前記補助排紙装置を前記画像形成装置の筐体の外装に沿って収納されることを特徴とする補助排紙装置。
【考案の詳細な説明】
【技術分野】
【０００１】
画像形成装置で印刷する印刷用紙の補助給排紙装置に関するものである。
【背景技術】
【０００２】
近年、ページプリンタの需要が増大し装置が普及するにつれて、利用の範囲も拡大され、広告に用いる用紙や小売店舗での専用紙への印字を、ＰＯＤ（Ｐｒｉｎｔ  Ｏｎ  Ｄｅｍａｎｄ）センターに発注するのではなく、個々の所有する画像形成装置で行いたいという要望が増加している。
【０００３】
小売店舗では、印刷用紙は定型のカット紙の規格とは異なる、長方形の一辺がもう片方の一辺の長さの３〜４倍の長さの長尺用紙（例えば、２９７ｍｍ×１２００ｍｍなど）が用いられることが多く、長尺用紙の印刷を画像形成装置の既存の給紙トレイにセットすると、用紙が給紙トレイから垂れ下がり、給紙口に搬送されないエラーが発生するおそれがあった。
【０００４】
このような長尺用紙を給紙口に搬送させるために、ユーザが用紙を持って印刷を行っていたのでは、操作性が極めて悪く、作業効率の向上が期待できない。
これらの問題を解決するために、手差しでの給紙を行うことなく長尺用紙を画像形成装置で印刷させるための仕組みが開示されている（例えば、特許文献１）。
【先行技術文献】
【特許文献】
【０００５】
【特許文献１】特開平６−１７９５２９号公報
【考案の概要】
【考案が解決しようとする課題】
【０００６】
上記特許文献１に開示された長尺用紙の給排紙装置によれば、長尺用紙の印刷時に人手を要することなく印刷が可能である。しかしながら、これらの長尺用紙の給排紙装置は常に画像形成装置に取り付けておくと、スペースを取って不便である。画像形成装置自体は、小型化・省スペース化が実現されているが、給排紙装置の不使用時の保管場所確保など、煩わしい問題が発生するおそれがある。
【０００７】
そこで、本考案は長尺用紙の印刷を行う際に、手差し印刷のように人手を使って用紙を支える必要のない補助給紙装置、ならびに、長尺用紙の印刷を行わない時には取り外しをすることなく省スペースを実現可能な補助排紙装置を備える補助給排紙装置を提供することである。
【課題を解決するための手段】
【０００８】
本考案は、画像形成装置の給紙口に受け渡す印刷用紙を収納するための補助給紙装置と、前記画像形成装置の排紙口より排紙される前記印刷用紙を積載する補助排紙トレイを備える補助排紙装置とを含む給排紙装置であって、前記補助給紙装置において、前記印刷用紙を収納可能な箱状の収納部と、ロール形状に収納される前記印刷用紙のロール形状を保持させるべく、前記収納部の内部において底面から立設した形状で収納部の底面に設けられる立上部と、前記収納部に収納された前記印刷用紙を前記給紙口へ搬送させるべく、前記収納部の底面の一部が開口された搬送口とを備え、前記立上部を、前記搬送口と前記印刷用紙が収納される部分との間に配置し、前記排紙装置において、前記排紙装置の前記補助排紙トレイに、前記画像形成装置に前記補助排紙トレイを接着させるための接着部を備え、前記補助排紙トレイに折り畳み可能にウイング部を設け、前記補助排紙トレイは、前記画像形成装置と前記接着部の接着を離した場合に、前記補助排紙トレイと前記ウイング部とを展開して、上面から山折りに曲げることによって、前記補助排紙装置を前記画像形成装置の筐体の外装に沿って収納されることを特徴とする。
また本考案は、画像形成装置の給紙口に受け渡す印刷用紙を収納するため補助給紙装置において、前記印刷用紙を収納可能な箱状の収納部と、ロール形状に収納された前記印刷用紙をロール形状を保持させるべく、前記収納部の内部において底面から立設した形状で収納部の底面に設けられる立上部と、前記収納部に収納された前記印刷用紙を給紙口へ搬送させるべく前記収納部の底面の一部が開口された搬送口と、を備え、前記立上部を、前記搬送口と前記印刷用紙が収納される部分との間に配置することを特徴とする。
また本考案は、画像形成装置の排紙口より排紙される印刷用紙を積載する補助排紙トレイを備える補助排紙装置であって、前記排紙装置の前記補助排紙トレイに、前記画像形成装置に前記補助排紙トレイを接着させる接着部を備え、前記補助排紙トレイに折り畳み可能にウイング部を設け、前記補助排紙トレイと前記ウイング部とを展開して、上面から山折りに曲げることによって、前記補助排紙装置を前記画像形成装置の筐体の外装に沿って収納されることを特徴とする。
【考案の効果】
【０００９】
本考案によれば、長尺用紙の印刷を行う際に手差し印刷のように人手を使って用紙を支える必要のない補助給紙装置、ならびに、長尺用紙の印刷を行わない時には取り外しをすることなく省スペースを実現可能な補助排紙装置を備える補助給排紙装置を提供することが可能になる。
【図面の簡単な説明】
【００１０】
【図１】本考案の補助給排紙装置の全体構成例を示す図である。
【図２】本考案の補助給紙装置の実施例を示す図である。
【図３】本考案の補助給紙装置の実施例を示す図である。
【図４】本考案の補助排紙装置の実施例を示す図である。
【図５】本考案の補助排紙装置の実施例を示す図である。
【図６】本考案の補助排紙装置の装着例を示す図である。
【考案を実施するための形態】
【００１１】
以下、図面に沿って本考案を説明していく。図１は、本考案の給排紙装置の全体構成例を示す図である。画像形成装置１００には、給紙口側に補助給紙装置２００、ならびに排紙口側には補助排紙装置３００が装着されている。
【００１２】
図１のように、補助給紙装置２００の底面は、画像形成装置１００の上面と接しており、印刷中に給紙装置が転倒しないよう、例えば面ファスナーやダボ等で固定されていることが望ましい。
【００１３】
また補助排紙装置３００は、画像形成装置１００の排紙口に係合部３０４を引っ掛ける形で支持しており、次の図４〜図６で説明する接着部３０２が画像形成装置１００の側面と接して、面ファスナーやダボ等で固定されることが望ましい。
【００１４】
図２は、本考案の実施形態において画像形成装置１００の給紙口に長尺用紙を給紙するための補助給紙装置の構成例を示す図である。
【００１５】
補助給紙装置２００は、四つの側面、上面および底面を囲われた立方体もしくは直方体の箱型をしており、給紙装置２００の内部には、長尺用紙をロール状にして収納する。長尺用紙を補助給紙装置の中に収納するために、補助給紙装置２００は、四つの側面若しくは上面のうちのいずれか一面が開閉可能な構造になっていることが望ましい。
【００１６】
若しくは、補助給紙装置２００は、上面（蓋）を設けない構造にすることも可能である。例えば、図２の（１）上面から見た図では、給紙装置２００の上面（蓋）が外されていることが確認できる。これにより、ロール状の長尺用紙を、給紙装置の上方から入れて、給紙口に搬送するためにセットすることが可能である。
【００１７】
補助給紙装置２００の内側には、ロール状に収納されている長尺用紙が搬送口２０２より画像形成装置１００に垂れて、画像形成装置の給紙口に送り出されるよう、長尺用紙のロール形状を潰れないように支える印刷用紙立ち上げ壁２０１が設けられている。
【００１８】
印刷用紙立ち上げ壁２０１は、板状の部材が補助給紙装置２００の底面に垂直に設けられ、上面（蓋）方向に向かって立設されている。もしくは、補助給紙装置２００の底面となる板が、上面（蓋）方向に向かって折り曲げられて立設されている。
【００１９】
この印刷用紙立ち上げ壁２０１が補助給紙装置２００の内部に設置されていることにより、ロール状に収納されている長尺用紙が楕円形に潰れて直径が広まることなく、限りなく円に近い形状を保って給紙口に搬送させることが可能になる。
【００２０】
また、搬送口２０２は、補助給紙装置２００の底面の一部が開口されている穴構成である。本構成を備えることにより、補助給紙装置２００に収納されるロール形状の長尺用紙を、図３で示すように立ち上げ壁２０１に支持させ、長尺用紙の一端を補助給紙装置２００の底面に開いている搬送口２０２から垂れ下がらせて、画像形成装置１００の給紙口にセットすることができる。給紙口にセットされた長尺用紙は、画像形成装置１００の搬送ローラーを駆動することにより、画像形成装置の内部の画像形成部に搬送される。
【００２１】
上記のとおり、補助給紙装置２００は、四つの側面、上面および底面を囲われた立方体もしくは直方体の箱型をして、内部に長尺用紙を収納することが可能である。また補助給紙装置２００（収納部）には、収納される長尺用紙のロール形状を保たせるための立ち上げ壁２０１が、補助給紙装置２００の底面と接して立設されている。また、補助給紙装置２００（収納部）の底面には、長尺用紙の一端を画像形成装置１００の給紙口に受け渡すための搬送口２０２を備えている。立ち上げ壁２０１は、収納部内で搬送口２０２と、長尺用紙が収納される部分との間に配置されている。
【００２２】
図３は、補助給紙装置２００の内部の断面図である。長尺用紙１はロール状に収納されていて、印刷用紙立ち上げ壁２０１にロール状になった長尺用紙１の一部が接することにより、長尺用紙１のロール形状が保たれ、画像形成装置１００の給紙口にある搬送ローラーによって、長尺用紙が搬送される時に、ロール形状がつぶれることなく搬送口２０２を通って搬送される仕組みとなっている。さらに、補助給紙装置２００における長尺用紙の幅方向に位置する両側面により長尺用紙の幅方向の位置が規制され、長尺用紙が斜行することなく画像形成装置１００内に供給される。
【００２３】
なお、補助給紙装置２００は、画像形成装置１００の上面と接するため、設置時に画像形成装置１００の幅以上のスペースを余計に取ることはない。
【００２４】
上記、補助給紙装置２００の構成によれば、長尺用紙の印刷を行う際に手差し印刷のように人手を使って用紙を支える必要のない補助給紙装置を提供することが可能になる。更に、補助給紙装置２００の立ち上げ壁２０１が補助給紙装置２００の内部に設置されていることにより、ロール状に収納されている長尺用紙が楕円形に潰れて直径が広まることなく、限りなく円に近い形状を保たれるので、搬送ローラーによって長尺用紙が搬送される際に、ロール状になった長尺用紙は張力を保っているので、円滑に給紙口に搬送させることが可能になる。
【００２５】
次に、図４〜図６を用いて本考案の補助排紙装置３００の構造について説明する。補助排紙装置３００は、先述の図１の全体構成図の通り画像形成装置１００の排紙口に係合部３０４を引っ掛けて画像形成装置に支持する仕組みとなっている。
【００２６】
また、補助排紙装置３００を画像形成装置１００に装着する際には、補助排紙トレイ３０１が画像形成装置１００の横幅から飛び出て装着される構成となる。この場合、補助排紙装置３００に人や物がぶつかってしまった場合の転倒を防ぐために、排紙トレイ３０１の上面から見て山折りの状態でウイング部３０３が排紙トレイ３０１の両側面から下方に垂れ下がっている。更に、ウイング部３０３と画像形成装置１００とが接する端には、画像形成装置１００との接着部３０２があり、接着部３０２はウイング部３０３側から見て谷折りに曲げられて画像形成装置１００と接する。画像形成装置１００と、接着部３０２の接着面（図４、５の斜線範囲）は、例えば、面ファスナーやダボ等で画像形成装置１００と取り外し可能に固定されていることが望ましい。
【００２７】
このように、ウイング部３０３および接着部３０２の構成によれば、補助排紙トレイ３０１は、画像形成装置１００の横幅から飛び出ていても、下側から支持され、また、画像形成装置１００と接着部３０２が接着されているので、補助排紙トレイ３０１が画像形成装置１００に支持され、長尺用紙の補助排紙装置として機能することが可能である。
【００２８】
更に、長尺用紙の印刷を行わない場合には、接着部３０２と画像形成装置１００との接着面を剥がし、接着部３０２とウイング部３０３の谷折りを元に戻す。更に、ウイング部３０３と補助排紙トレイ３０１の山折りを元に戻して補助排紙トレイ３０１を図５（２）の展開図のように開く。図５の（２）上面からの展開図で、排紙トレイ３０１と係合部３０４の中間付近に記している点線は、補助排紙トレイ３０１の折畳み位置を示す点線である。補助排紙トレイ３０１を折り畳む際には、図６（１）の通常使用状態から、図６の（２）のように、接着部３０２を画像形成装置１００から剥がし、ウイング部３０３の山折を平面に戻し、補助排紙トレイ３０１の上面から見て山折りに、画像形成装置１００の筐体に沿うように折り畳むことで、補助排紙装置３００を画像形成装置１００から取り外すことなく収納が可能になる。これにより、従来からの問題であった、長尺用紙の補助排紙装置不使用時の収納スペースの問題が改善されることが期待される。
【００２９】
なお、補助排紙装置３００で、山折り、もしくは谷折りをすることが可能な個所については、折り曲げ部に折れ線（凹み）を附すことによって、補助排紙トレイ３０１を山折りに折り曲げることと、接着部３０２を谷折りに折り曲げることと、ウイング部３０３を山折りに折り曲げることが可能となる。
【００３０】
以上、本考案によれば、長尺用紙の印刷を行う際に手差し印刷のように人手を使って用紙を支える必要のない給紙部、ならびに、長尺用紙の印刷を行わない時には取り外しをすることなく省スペースを実現可能な排紙部を備える補助給排紙装置を提供することが可能になる。
【符号の説明】
【００３１】
１        長尺用紙
１００    画像形成装置
２００    給紙装置
２０１    印刷用紙立ち上げ壁
２０２    搬送口
３００    排紙装置
３０１    排紙トレイ
３０２    接着部
３０３    ウイング部
【図１】
0003169690.tif 000003
【図２】
0003169690.tif 000004
【図３】
0003169690.tif 000005
【図４】
0003169690.tif 000006
【図５】
0003169690.tif 000007
【図６】
0003169690.tif 000008